(57)【特許請求の範囲】
【請求項１】
薄板鋼板からなる屋内側パネル及び屋外側パネルと、該屋内外側パネル間に充填されるコア材から構成される扉パネルに化粧モールを止着するにあたり、
前記化粧モールは同一部材からなる左右モール部材と、該左右モール部材と異なる形状の中央モール部材とで構成し、
前記左右モール部材の化粧面左右一端には嵌合辺が裏面方向に延出し、
前記中央モールの化粧面幅方向両端には屋外側を臨むように嵌合溝が成形され、
中央モール部材の嵌合溝に左右モール部材の嵌合辺を嵌入させることで、中央モール部材が左右モール部材に支持される状態で、各モール部材が幅方向に連設して化粧モールを一体的に形成する構成とし、
前記中央モール部材はその化粧面が異なるものを用意しておき、種々バリエーションの化粧モールを形成可能にしたことを特徴とする化粧モール装着ドア。
【発明の詳細な説明】
【０００１】
【発明の属する技術分野】
本願発明は、建物の開口部に取付けられるドアの扉パネルに装飾を施した化粧モール装着のドアに関する。
【０００２】
【従来の技術】
従来の化粧モール装着ドアとして、例えば実公昭５０−３４５１０号公報や特許第２９７８１６０号公報によって開示したものが知られている。これら公報による化粧モールは単一のモール材（１部材構成のモール）を用いている点で共通する。実公昭５０−３４５１０号公報に開示の「中空製装飾枠材」、特許第２９７８１６０号公報に開示の「押出し成形された形材」が本願における化粧モールに相当するが、これら中空製装飾枠材、形材は単一のモール材である。つまり従来の化粧モールといえば、１部材から構成されるモールであると考えられていた。
【０００３】
【発明が解決しようとする課題】
しかしながら、前記従来の化粧モールでは単一のモール材ゆえに扉パネルの表面に装飾的に使用するには、その化粧モール以上の装飾効果を引き出すことは困難であった。従来の化粧モールでは、例えば、扉パネルの表面の装飾を縦モール（図１１）又は矩形モール（図１２）とする場合、化粧モールによるストライプや額縁状の装飾効果は引き出し得ても、モール自体にはそれ以上の意匠上の変化性、装飾性を発揮させることは実質的に困難であるため、縦モールまたは矩形モールを一層引き立てることができなかった。そのための改善方法としては、モールの表面に着色、発色する等を施す手段もある。しかし、かかる方法は着色工程等が加わるため、時間と費用を要する。またモールがアルミ成形品や樹脂成形品であると、おのずと彩色のバリエーションが制限される。さらにユーザの嗜好に合致しない場合には、新たなモールを作らなければならず、モールの種類が増加し、在庫管理もそれだけ面倒なことになる。本発明は、単一のモールではドアデザインとしての装飾的効果の限界があることに鑑みてなされたもので、その主たる目的は、きわめて少ない労力で市場のニーズに対応する巾広いデザインバリエーションや扉の寸法バリエーションに容易に対応できるドアを提供することにある。
【０００４】
【課題を解決するための手段】
上記課題を解決するために、本発明に係る化粧モール装着ドアは、薄板鋼板からなる屋内側パネル及び屋外側パネルと、屋内外側パネル間に充填されるコア材から構成される扉パネルに化粧モールを止着するにあたり、化粧モールは同一部材からなる左右モール部材と、左右モール部材と異なる形状の中央モール部材とで構成し、左右モール部材の化粧面左右一端には嵌合辺が裏面方向に延出し、中央モールの化粧面幅方向両端には屋外側を臨むように嵌合溝が成形され、中央モール部材の嵌合溝に左右モール部材の嵌合辺を嵌入させることで、中央モール部材が左右モール部材に支持される状態で、各モール部材が幅方向に連設して化粧モールを一体的に形成する構成とし、中央モール部材はその化粧面が異なるものを用意しておき、種々バリエーションの化粧モールを形成可能にしたものである。このようにしたことにより、巾広いデザインバリエーションの化粧モール装着ドアを市場に提供することができる。
【０００５】
【発明の実施の形態】
以下、本発明に係る化粧モール装着ドアの第１の実施の形態について説明する。図１ないし図３は、扉パネルのパネル幅の中央に扉パネルの上下間にわたって３部材構成からなる化粧モール（縦モール）を装着したドアの一実施例を示す図であって、図１は正面図、図２は拡大横断面図、図３は拡大平断面図である。本発明は各種のドアに適用可能であるが、本実施の形態では、開き戸に適用した例である。
【０００６】
１は扉パネルであって、扉パネル１の屋外側パネル２および屋内側パネル３は平板０．６ｍｍ厚の薄板鋼板で、扉パネル１の内部にはコア材４が充填されている。屋外側パネル２、屋内側パネル３とコア材４とは、ホットプレスによる接着によって固着されている。
【０００７】
化粧モール５は図３に示すように３つのモール部材６，７，８から構成されており、左右両端のモール部材６，８は、同一モール部材であって、左右対象となるような用い方をしている。中央のモール部材７は、モール部材６，８とは異なる形状のモール部材である。したがって化粧モール５を構成するモール部材６，７，８は２種類用意すれば足りることになる。
【０００８】
次にこれらのモール部材６（８），７について説明する。モール部材６（８）は、アルミまたは合成樹脂を押出し成形した形材であって、見えがかりの幅は６５ｍｍ、高さは８ｍｍにそれぞれ設定されている。長さは扉パネル１の縦寸法と略同一である。化粧面６ａ（８ａ）は平坦状であって、化粧面６ａ（８ａ）の左右両端には湾曲凹部Ａに続く見切り縁辺６ｂ（８ｂ）および嵌合辺６ｃ（８ｃ）が裏面方向に延出されている。化粧面６ａ（８ａ）の裏面には見切り縁辺６ｂ（８ｂ）および嵌合辺６ｃ（８ｃ）の近傍にフランジ付長溝６ｄ（８ｄ）が設けられており、見切り縁辺６ｂ（８ｂ）とフランジ付長溝６ｄ（８ｄ）の裏面への出寸法は同一となっている。なお、嵌合辺６ｃ（８ｃ）の裏面への出寸法は、額縁辺６ｂ（８ｂ）の突出寸法よりも若干小さい。
【０００９】
モール部材７も、アルミまたは合成樹脂を押出し成形した形材であって、見えがかりの幅は４０ｍｍとする。長さは扉パネル１の縦寸法と略同一である。化粧面７ａには３条の凹凸面が長手方向（扉パネル１の上下方向）に成形されており、化粧面７ａの幅方向の両端部には、底部７ｂ、７ｂを設けるとともに底部７ｂ、７ｂから屋外側を臨むように長手方向に嵌合溝７ｃ、７ｃが成形されている。モール部材７の高さ寸法はモール部材６（８）の高さ寸法より小さいが、これに限定されるものではなく、モール部材６（８）の高さ寸法より大きく若しくは同一であっても差し支えない。また、化粧面７ａの凹凸面も３条に限定されるものではなく、より多数の条数のものや凹凸面のないものであってもよい。
【００１０】
次に、モール部材６，７，８の屋外側パネル２への装着について説明する。モール取付け金具９の形状及びモール部材６，８への取り付け方法については図４ないし図６に示すが、すでに本発明の出願人が取得した登録実用新案第２５７３４５７号に詳細に開示しているため、このモール取付け金具９をそっくりそのまま利用するので、モール取付け金具９のモール部材６，８の取り付け詳細説明は省略するとともに、屋外側パネル２の所定部位にモール取付孔１０、・・が穿設されているものとする。ここで所定部位とは、モール部材６，７，８を幅方向に連設して一体的に形成させた場合、モール部材６（８）のフランジ付長溝６ｄ（８ｄ）にモール取付け金具９を装着させ、該モール取付け金具９の装着部位に対応させた位置をいう。
【００１１】
化粧モール１の扉パネル１への組み付けを行うために、まず扉パネル１の屋外側パネル２が上になるように床面に置く。次に扉パネル１の幅方向の中央に予め罫書いておいた位置に合わせてモール部材７を扉パネル１の上下間に載置させる。つづいて、モール部材７の嵌合溝７ｃ、７ｃにモール部材６（８）の嵌合辺６ｃ、８ｃを嵌入させ、さらにフランジ付長溝６ｄ（８ｄ）に装着したモール取付け金具９を移動させながらモール取付孔１０、・・に押し込み、フランジ付長溝６ｄ（８ｄ）に直交方向に旋回し、指を離せば容易にモール取付け金具９が化粧モール６（８）に取付けられる。
【００１２】
以上のように、モール部材６，８は、扉パネル１の屋外側パネル２にモール取付け金具９を介して取付けられるが、モール部材７は、モール部材６，８によって支持されるだけであって、モール取付け金具９を必要としない。これによってモール部材６，７，８を幅方向に連設して一体的に形成された化粧モール５は、外観上あたかも単一のモールのようになる。また、例えば両端のモール部材６，８を一定の形状にしておき、中間のモール部材７の化粧面７ａが異なるものを種々用意しておけば、化粧モール５のバリエーションは拡大する。もとより両端のモール部材６，８を別化粧面のものにしておいてもよい。このようにして全幅１７０ｍｍの化粧モール５ができあがる。
【００１３】
図５、図６はこのような化粧モール５のモール部材６、７、８の他の連設組み合せ例であって、図５は、各モール部材６、７、８の化粧面６ａ、７ａ、８ａが凹凸起伏を誇張させた形状にしたもの、図６は、化粧面７ａが湾曲状に膨出させるようにしたものである。モール部材６とモール部材７、モール部材７とモール部材８との連設方法およびはモール部材６とモール部材８の扉パネル１への取付けは既述の方法と全く同一である。
【００１４】
図７から図９までは、本発明の第２の実施の形態に関するものであって、第１の実施の形態との差異は、中間のモール部材７が平板のアルミまたは合成樹脂製としたものである。このようにしたのはモール部材７に位置する扉パネル１には縦長に採光スリット１１を設けてているため、透かし部を長手方向に一定間隔を置いて設けたモール部材７を装着させ、装飾、彩色機能を一層効果あらしめることを企図したものである。
【００１５】
図７は正面図、図８は拡大横断面図、図９は拡大平断面図である。もとより本発明は各種のドアに適用可能であるが、本実施の形態では、玄関ドア（開き戸）に適用した例である。本実施の形態においては、第１の実施の形態と異なるモール部材７のモール部材６、８との連設方法について説明する。図９において、モール部材７は平板のアルミまたは合成樹脂製であるから、幅方向両端には、嵌合溝がない。そのため、両側のモール部材６、８のモール部材７側端部の嵌合辺６ｂ、８ｂがモール部材７の長手方向の上下にわたって幅両端の押え縁の役割を果たすようになっている。モール部材６、８は第１の実施の形態と同様、扉パネル１にモール取付け金具９によって装着されるので、結果としてモール部材６、７、８は、幅方向に連設して一体的に形成された化粧モール５となる。なお、図１０に示すように、化粧面７ａを平板状とし、幅方向の両端に裏面側から屋外方向を臨むように長手方向に嵌合溝７ｃ、７ｃを設け、モール部材６、８の嵌合辺６ｂ、８ｂと嵌合させてもよい。
【００１８】
さらにモール部材６、７、８の材質は、加工上最も成形し易いアルミまたは合成樹脂としたが、これに限定されるものではなく、スチール製、合金製、木製等であってもよく、さらにモール部材６、８をアルミ製、モール部材７を合成樹脂製とするような種々材質の組み合せに係るものとして、化粧モール５を形成させることもできる。
【００１９】
また、モール部材６、７、８の幅寸法は６５ｍｍ、４０ｍｍ、６５ｍｍに限定されるものではない。扉パネル１の大きさによって各モール部材の幅を適宜決定すればよい。それによって、例えば２００ｍｍ以上もある太い化粧モール５や５０ｍｍにも満たないスリムな化粧モール５とすることもできる。
【００２０】
本発明では、複数のモール部材６、７、８を各モール部材６、７、８の幅方向に連設して一体的に形成することによって単一的な化粧モール５が形成されるのであるが、叙上の詳細説明のとおり各モール部材６、７、８を幅方向に横並びにさせることを基本としているため、各モール部材６、７、８の化粧面がすべて平面的なものであれば、化粧モール５としても平面的なものとなる。また、各モール部材６、７、８の化粧面６ａ、７ａ、８ａを幅方向に凹凸起伏状としたり、中間のモール部材７を膨出させるようにすれば、立体感の豊かな化粧モール５とすることもできる。
【００２１】
以上説明したように、本発明は、扉パネルに止着する化粧モールが複数のモール部材を各モール部材の幅方向に連設して一体的に形成された化粧モール装着ドアであるから、中間のモール部材の形状を変えることによって種々バリエーションの化粧モールを容易に作ることができる。
【図面の簡単な説明】
【図１】本発明の第１の実施の形態における化粧モール装着ドアの正面図である。
【図２】本発明の第１の実施の形態における化粧モール装着ドアの拡大横断面図である。
【図３】本発明の第１の実施の形態における化粧モール装着ドアの拡大平断面図である。
【図４】化粧モールの扉パネルへの装着状態を示す横断面図である。
【図５】他の形状に係る化粧モールの扉パネルへの装着状態を示す平断面図である。
【図６】他の形状に係る化粧モールの扉パネルへの装着状態を示す平断面図である。
【図７】本発明の第２の実施の形態における化粧モール装着ドアの正面図である。
【図８】本発明の第２の実施の形態における化粧モール装着ドアの拡大横断面図である。
【図９】本発明の第２の実施の形態における化粧モール装着ドアの拡大平断面図である。
【図１０】他の形状に係る化粧モールの扉パネルへの装着状態を示す平断面図である。
【図１１】縦モール付きの化粧モール装着ドアの正面図である。
【図１２】矩形モール付きの化粧モール装着ドアの正面図である。
【符号の説明】
１    扉パネル
２    屋外側パネル
３    屋内側パネル
５    化粧モール
６    モール部材（端部用）
７    モール部材（中央部用）
８    モール部材（端部用）
９    モール取付金具
１０  モール取付孔
１１  採光スリット
【図１】
0003735807.tif 000002
【図２】
0003735807.tif 000003
【図３】
0003735807.tif 000004
【図４】
0003735807.tif 000005
【図５】
0003735807.tif 000006
【図６】
0003735807.tif 000007
【図７】
0003735807.tif 000008
【図８】
0003735807.tif 000009
【図９】
0003735807.tif 000010
【図１０】
0003735807.tif 000011
【図１１】
0003735807.tif 000012
【図１２】
0003735807.tif 000013